(57)【要約】【課題】複数の記憶装置に記憶されているコンテンツを容易に比較可能とすること。【解決手段】ＰＣ１は、コンテンツを記憶する記憶部５と、ＤＡＰ１００と通信するためのＵＳＢ  Ｉ／Ｆ８と、表示部６と、ＣＰＵ２と、備える。ＣＰＵ２は、記憶部５に記憶されているコンテンツを示すコンテンツ情報と、記憶部５に記憶されているコンテンツが、ＤＡＰ１００が備える記憶部１０１、メモリーカード１０２、１０３に記憶されているか否かをそれぞれ示す複数のボックスと、を含む表示画面を表示部６に表示する。【選択図】図４
2017033483.tif 000002
【特許請求の範囲】
【請求項１】
コンテンツを記憶する記憶部と、
外部装置と通信するための通信インターフェースと、
表示部と、
制御部と、を備え、
前記制御部は、
前記記憶部に記憶されているコンテンツを示すコンテンツ情報と、前記記憶部に記憶されているコンテンツが、前記外部装置が備える複数の記憶装置に記憶されているか否かをそれぞれ示す複数のボックスと、を含む表示画面を前記表示部に表示することを特徴とするコンテンツ管理装置。
【請求項２】
前記制御部は、
前記記憶装置にコンテンツが記憶されていないことを示している前記ボックスに対する操作があった場合に、前記ボックスに対応するコンテンツを、前記ボックスに対応する前記記憶装置に転送することを特徴とする請求項１に記載のコンテンツ管理装置。
【請求項３】
前記制御部は、
前記記憶装置にコンテンツが記憶されていることを示している前記ボックスに対する操作があった場合に、前記ボックスに対応するコンテンツを、前記ボックスに対応する前記記憶装置から削除することを特徴とする請求項１又は２に記載のコンテンツ管理装置。
【請求項４】
前記表示画面は、前記記憶装置を示す記憶装置情報をさらに含み、前記ボックスと、前記記憶装置情報と、が対応付けられていることを特徴とする請求項１〜３のいずれか１項に記載のコンテンツ管理装置。
【請求項５】
前記ボックスと前記記憶装置情報とは、並び順を同じにすることにより、対応付けられていることを特徴とする請求項４に記載のコンテンツ管理装置。
【請求項６】
前記ボックスと前記記憶装置情報とは、同色とすることにより、対応付けられていることを特徴とする請求項４に記載のコンテンツ管理装置。
【請求項７】
前記記憶装置情報は、対応する前記記憶装置の使用状況を示す円グラフを含み、前記ボックスと、前記円グラフと、を同色とすることにより、前記ボックスと前記記憶装置情報とは、対応付けられていることを特徴とする請求項４に記載のコンテンツ管理装置。
【請求項８】
前記ボックスは、円形であることを特徴とする請求項７に記載のコンテンツ管理装置。
【請求項９】
前記複数のボックスは、コンテンツ情報の横に並べて表示されていることを特徴とする請求項１〜８のいずれか１項に記載のコンテンツ管理装置。
【請求項１０】
コンテンツを記憶する記憶部と、
外部装置と通信するための通信インターフェースと、
表示部と、
制御部と、を備えるコンピュータの前記制御部に、
前記記憶部に記憶されているコンテンツを示すコンテンツ情報と、前記記憶部に記憶されているコンテンツが、前記外部装置が備える複数の記憶装置に記憶されているか否かを示すボックスと、を含む表示画面を前記表示部に表示させることを特徴とするコンテンツ管理プログラム。
【発明の詳細な説明】
【技術分野】
【０００１】
本発明は、コンテンツを管理するコンテンツ管理装置、及び、コンテンツ管理プログラムに関する。
【背景技術】
【０００２】
パーソナルコンピューター（以下、「ＰＣ」という。）を、音楽、静止画、動画等のコンテンツを管理するコンテンツ管理装置として機能させる、コンテンツ管理プログラムがある（例えば、特許文献１参照。）。コンテンツ管理プログラムは、ＰＣに記憶されているコンテンツを管理する。また、コンテンツ管理プログラムは、ＰＣに接続されるデジタルオーディオプレーヤー（以下、「ＤＡＰ」という。）に記憶されているコンテンツを管理する。
【０００３】
図１６は、従来のコンテンツ管理プログラムが、ＰＣの表示部に表示する表示画面の一例を示す図である。「ライブラリ」欄の「ミュージック」、「ムービー」、「フォト」の項目は、ＰＣに記憶されているコンテンツの種類を示している。「ミュージック」の項目を選択すると、表示画面の上部に、「曲」、「アルバム」、「アーティスト」等の「ミュージック」を分類する項目が表示される。「曲」の項目を選択すると、ＰＣに記憶されている「ミュージック」の「曲」の一覧がリスト形式で表示される。表示画面の左側には、「アルバムジャケット」、対応する「アーティスト」名、対応する「アルバム」名が表示される。表示画面の右側には、「アルバム」に含まれる「曲」の「番号」、「タイトル」、「アーティスト」、「長さ」等の項目が表示される。
【０００４】
「接続機器」欄の「ミュージック」、「ムービー」、「フォト」の項目は、ＰＣに接続されている接続機器（ＤＡＰ）に記憶されているコンテンツの種類を示している。「接続機器」欄の「ミュージック」、「ムービー」、「フォト」の項目は、接続機器（ＤＡＰ）に記憶されているコンテンツの種類を示している。図１７に示すように、「ミュージック」の項目を選択すると、表示画面の上部に、「曲」、「アルバム」、「アーティスト」等の「ミュージック」を分類する項目が表示される。「曲」の項目を選択すると、接続機器に記憶されている「ミュージック」の「曲」の一覧がリスト形式で表示される。表示画面の左側には、「アルバムジャケット」、対応する「アーティスト」名、対応する「アルバム」名が表示される。表示画面の右側には、「アルバム」に含まれる「曲」の「番号」、「タイトル」、「アーティスト」、「長さ」等の項目が表示される。
【０００５】
ユーザーは、ＰＣに記憶されているコンテンツをＤＡＰに転送する場合、図１８に示すように、転送したい楽曲を選択し、表示画面右下の転送ボタンをクリックする。ユーザーにより、転送ボタンがクリックされると、ＰＣは、選択されたコンテンツをＤＡＰに転送する。ユーザーは、コンテンツがＰＣからＤＡＰに転送されたことを確認する場合、図１９に示すように、「接続機器」の「ミュージック」の項目を選択して、接続機器（ＤＡＰ）に記憶されているコンテンツをＰＣに表示させる。
【０００６】
接続機器（ＤＡＰ）に、ＳＤカード等の外部記憶装置が接続され、接続機器（ＤＡＰ）が、自装置の記憶装置（例えば、フラッシュメモリ）の他、外部記憶装置を備えている場合、図２０に示すように、「接続機器」欄の右横に、記憶装置と、外部記憶装置と、を示すアイコンが表示される。ユーザーは、外部記憶装置を示すアイコンを選択することにより、外部記憶装置に記憶されているコンテンツを確認することができる。また、ユーザーは、ＰＣに記憶されているコンテンツを外部記憶装置に転送することも可能である。
【先行技術文献】
【特許文献】
【０００７】
【特許文献１】特開２００９−２４５５８７号公報
【発明の概要】
【発明が解決しようとする課題】
【０００８】
しかしながら、ＤＡＰが、複数の記憶装置を備える場合、ユーザーは、記憶装置に記憶されているコンテンツを比較するためには、そのたびに、記憶装置に記憶されているコンテンツを表示する表示画面を表示させ、コンテンツを見比べる必要があり、面倒である。
【０００９】
本発明の目的は、複数の記憶装置に記憶されているコンテンツを容易に比較可能とすることである。
【課題を解決するための手段】
【００１０】
第１の発明のコンテンツ管理装置は、コンテンツを記憶する記憶部と、外部装置と通信するための通信インターフェースと、表示部と、制御部と、を備え、前記制御部は、前記記憶部に記憶されているコンテンツを示すコンテンツ情報と、前記記憶部に記憶されているコンテンツが、前記外部装置が備える複数の記憶装置に記憶されているか否かをそれぞれ示す複数のボックスと、を含む表示画面を前記表示部に表示することを特徴とする。
【００１１】
本発明では、制御部は、記憶部に記憶されているコンテンツを示すコンテンツ情報と、記憶部に記憶されているコンテンツが、外部装置が備える複数の記憶装置に記憶されているか否かをそれぞれ示す複数のボックスと、を含む表示画面を表示部に表示する。このため、ユーザーは、表示画面に含まれる、記憶部に記憶されているコンテンツが、外部装置が備える記憶装置に記憶されているか否かを示すボックスを見るだけで、複数の記憶装置に記憶されているコンテンツを比較することができる。なお、「外部装置が備える複数の記憶装置」は、複数の外部装置がそれぞれ記憶装置を備える場合も含む。
【００１２】
第２の発明のコンテンツ管理装置は、第１の発明のコンテンツ管理装置において、前記制御部は、前記記憶装置にコンテンツが記憶されていないことを示している前記ボックスに対する操作があった場合に、前記ボックスに対応するコンテンツを、前記ボックスに対応する前記記憶装置に転送することを特徴とする。
【００１３】
本発明では、制御部は、記憶装置にコンテンツが記憶されていないことを示しているボックスに対する操作があった場合に、ボックスに対応するコンテンツを、ボックスに対応する記憶装置に転送する。このため、ユーザーは、複数の記憶装置に記憶されているコンテンツを比較しながら、複数の記憶装置へのコンテンツの転送を行うことができる。
【００１４】
第３の発明のコンテンツ管理装置は、第１又は第２の発明のコンテンツ管理装置において、前記制御部は、前記記憶装置にコンテンツが記憶されていることを示している前記ボックスに対する操作があった場合に、前記ボックスに対応するコンテンツを、前記ボックスに対応する前記記憶装置から削除することを特徴とする。
【００１５】
本発明では、制御部は、記憶装置にコンテンツが記憶されていることを示しているボックスに対する操作があった場合に、ボックスに対応するコンテンツを、ボックスに対応する記憶装置から削除する。このため、ユーザーは、複数の記憶装置に記憶されているコンテンツを比較しながら、複数の記憶装置からのコンテンツの削除を行うことができる。
【００１６】
第４の発明のコンテンツ管理装置は、第１〜第３の発明のいずれかのコンテンツ管理装置において、前記表示画面は、前記記憶装置を示す記憶装置情報をさらに含み、前記ボックスと、前記記憶装置情報と、が対応付けられていることを特徴とする。
【００１７】
本発明では、ボックスと、記憶装置を示す記憶装置情報と、が対応付けられている。このため、ユーザーは、ボックスを見るだけで、対応するコンテンツが、記憶装置情報が示す記憶装置に記憶されているか否かを確認することができる。
【００１８】
第５の発明のコンテンツ管理装置は、第４の発明のコンテンツ管理装置において、前記ボックスと前記記憶装置情報とは、並び順を同じにすることにより、対応付けられていることを特徴とする。
【００１９】
本発明では、ボックスと記憶装置情報とは、並び順を同じにすることにより、対応付けられている。このため、ユーザーは、視覚的に、ボックスと記憶装置情報とが対応していることを理解することができる。
【００２０】
第６の発明のコンテンツ管理装置は、第４の発明のコンテンツ管理装置において、前記ボックスと前記記憶装置情報とは、同色とすることにより、対応付けられていることを特徴とする。
【００２１】
本発明では、ボックスと記憶装置情報とは、同色とすることにより、対応付けられている。このため、ユーザーは、視覚的に、ボックスと記憶装置情報とが対応していることを理解することができる。
【００２２】
第７の発明のコンテンツ管理装置は、第４の発明のコンテンツ管理装置において、前記記憶装置情報は、対応する前記記憶装置の使用状況を示す円グラフを含み、前記ボックスと、前記円グラフと、を同色とすることにより、前記ボックスと前記記憶装置情報とは、対応付けられていることを特徴とする。
【００２３】
本発明では、ボックスと、記憶装置の使用状況を示す円グラフと、を同色とすることにより、ボックスと記憶装置情報とは、対応付けられている。このため、ユーザーは、視覚的に、ボックスと記憶装置情報とが対応していることを理解することができる。
【００２４】
第８の発明のコンテンツ管理装置は、第７の発明のコンテンツ管理装置において、前記ボックスは、円形であることを特徴とする。
【００２５】
本発明では、ボックスは円形である。このため、記憶装置の使用状況を示す円グラフと、円形のボックスと、で視覚的に統一されたデザインとなっている。
【００２６】
第９の発明のコンテンツ管理装置は、第１〜第８の発明のいずれかのコンテンツ管理装置において、前記複数のボックスは、コンテンツ情報の横に並べて表示されていることを特徴とする。
【００２７】
本発明では、複数のボックスは、コンテンツ情報の横に並べて表示されている。このため、ユーザーは、複数の記憶装置にコンテンツが記憶されているか否かを容易に確認することができる。
【００２８】
第１０の発明のコンテンツ管理プログラムは、コンテンツを記憶する記憶部と、外部装置と通信するための通信インターフェースと、表示部と、制御部と、を備えるコンピュータの前記制御部に、前記記憶部に記憶されているコンテンツを示すコンテンツ情報と、前記記憶部に記憶されているコンテンツが、前記外部装置が備える複数の記憶装置に記憶されているか否かを示すボックスと、を含む表示画面を前記表示部に表示させることを特徴とする。
【発明の効果】
【００２９】
本発明によれば、ユーザーは、表示画面に含まれる、記憶部に記憶されているコンテンツが、外部装置が備える記憶装置に記憶されているか否かを示すボックスを見るだけで、複数の記憶装置に記憶されているコンテンツを比較することができる。
【図面の簡単な説明】
【００３０】
【図１】本発明の実施形態に係るコンテンツ管理装置として機能するパーソナルコンピューターの構成を示すブロック図である。
【図２】コンテンツ管理プログラムが、ＣＰＵに表示部に表示させる表示画面の一例を示す図である。
【図３】コンテンツ管理プログラムが、ＣＰＵに表示部に表示させる表示画面の一例を示す図である。
【図４】コンテンツ管理プログラムが、ＣＰＵに表示部に表示させる表示画面の一例を示す図である。
【図５】コンテンツ管理プログラムが、ＣＰＵに表示部に表示させる表示画面の一例を示す図である。
【図６】コンテンツ管理プログラムが、ＣＰＵに表示部に表示させる表示画面の一例を示す図である。
【図７】コンテンツ管理プログラムが、ＣＰＵに表示部に表示させる表示画面の一例を示す図である。
【図８】コンテンツ管理プログラムが、ＣＰＵに表示部に表示させる表示画面の一例を示す図である。
【図９】コンテンツ管理プログラムが、ＣＰＵに表示部に表示させる表示画面の一例を示す図である。
【図１０】コンテンツ管理プログラムが、ＣＰＵに表示部に表示させる表示画面の一例を示す図である。
【図１１】コンテンツ管理プログラムが、ＣＰＵに表示部に表示させる表示画面の一例を示す図である。
【図１２】コンテンツ管理プログラムが、ＣＰＵに表示部に表示させる表示画面の一例を示す図である。
【図１３】コンテンツ管理プログラムが、ＣＰＵに表示部に表示させる表示画面の一例を示す図である。
【図１４】コンテンツ管理プログラムが、ＣＰＵに表示部に表示させる表示画面の一例を示す図である。
【図１５】コンテンツ管理プログラムが、ＣＰＵに表示部に表示させる表示画面の一例を示す図である。
【図１６】従来のコンテンツ管理プログラムが、ＰＣの表示部に表示する表示画面の一例を示す図である。
【図１７】従来のコンテンツ管理プログラムが、ＰＣの表示部に表示する表示画面の一例を示す図である。
【図１８】従来のコンテンツ管理プログラムが、ＰＣの表示部に表示する表示画面の一例を示す図である。
【図１９】従来のコンテンツ管理プログラムが、ＰＣの表示部に表示する表示画面の一例を示す図である。
【図２０】従来のコンテンツ管理プログラムが、ＰＣの表示部に表示する表示画面の一例を示す図である。
【発明を実施するための形態】
【００３１】
以下、本発明の実施形態について説明する。図１は、本実施形態に係るコンテンツ管理装置として機能するパーソナルコンピューターの構成を示すブロック図である。パーソナルコンピューター（以下、「ＰＣ」という。）１は、記憶部５に記憶されているコンテンツ管理プログラムＰが実行されることにより、コンテンツを管理するコンテンツ管理装置として機能する。ＰＣ１は、ＣＰＵ（Central Processing Unit）２、ＲＯＭ（Read Only Memory）３、ＲＡＭ（Random Access Memory）４、記憶部５、表示部６、操作部７、ＵＳＢインターフェース（以下、「ＵＳＢ  Ｉ／Ｆ」という。）８、ネットワークインターフェース（以下、「ＮＷ  Ｉ／Ｆ」という。）９、スピーカー１０を備える。なお、コンテンツ管理プログラムＰは、工場出荷時にＰＣ１の記憶部５に記憶されていてもよいし、後述するＮＷ  Ｉ／Ｆ９を介して、図示しないサーバーからダウンロードされ、ＰＣ１の記憶部５に記憶されていてもよい。
【００３２】
ＣＰＵ２（制御部）は、制御プログラム、ＯＳ（Operating System）プログラム、コンテンツ管理プログラムＰを含むアプリケーションプログラムに従って、ＰＣ１を構成する各部を制御する。コンテンツ管理プログラムＰに従ってＣＰＵ２が実行する処理については後述する。
【００３３】
ＲＡＭ３は、ＣＰＵ２の主メモリとして機能する。ＲＯＭ４は、制御プログラムを記憶する。記憶部５は、ＯＳプログラム、コンテンツ管理プログラムＰを含むアプリケーションプログラム等のプログラム、音楽、静止画、動画等のコンテンツを記憶するＨＤＤ（Hard Disc Drive）から構成されている。なお、記憶部５は、例示する構成に限られず、ＳＳＤ（Solid State Drive）等を含んでいてもよい。
【００３４】
表示部６は、種々の画像（静止画、動画を含む）を表示するものであり、例えば、液晶ディスプレイである。操作部７は、キーボードやマウス等から構成されており、各種設定、コンテンツの転送指示等を行うためのものである。ユーザーは、操作部７を介して、コンテンツ管理プログラムＰの実行、デジタルオーディオプレーヤー（以下、「ＤＡＰ」という。）１００へのコンテンツの転送指示等を行うことが可能である。ＵＳＢ  Ｉ／Ｆ８（通信インターフェース）は、ＤＡＰ１００とＵＳＢ規格に対応した通信を行うためのインターフェースである。ＰＣ１は、ＵＳＢ  Ｉ／Ｆ８を介して、ＤＡＰ１００と通信を行うことが可能である。ＮＷ  Ｉ／Ｆ９は、図示しないネットワークを介してインターネットに接続するためのインターフェースである。ＰＣ１は、ＮＷ  Ｉ／Ｆ９を介して、他の端末と通信等を行うことが可能である。スピーカー１０は、ＣＰＵ２から出力される音声信号に基づいて、音楽等の種々の音声を出力する。
【００３５】
次に、ＤＡＰ１００（外部装置）について説明する。ＤＡＰ１００は、コンテンツを記憶する記憶部１０１（記憶装置）を備える。また、ＤＡＰ１０１には、メモリーカード１０２、１０３（記憶装置）が接続される。従って、ＤＡＰ１０１は、メモリーカード１０２、１０３が接続されることにより、複数の記憶装置（以下、「ストレージ」ともいう。）を備える。メモリーカード１０２、１０３は、例えば、ＳＤカードである。メモリーカード１０２、１０３には、コンテンツが記憶される。ＰＣ１は、記憶部１０１、メモリーカード１０２、１０３に記憶されているコンテンツを管理する。ＰＣ１とＤＡＰ１００とは、ＵＳＢケーブルによって接続される。ＤＡＰ１００は、記憶部１０１、メモリーカード１０２、１０３に記憶されているコンテンツが音楽である場合、音楽を再生してヘッドホン２００に出力する。
【００３６】
図２は、コンテンツ管理プログラムＰが起動された場合に、ＣＰＵ２が表示部６に表示する表示画面の一例を示す図である。図２に示すように、表示画面には、記憶部５に記憶されているコンテンツを示すコンテンツ情報が含まれている。コンテンツ情報は、コンテンツのタイトル、アルバム名、アーティスト名、長さ等である。図２では、記憶部５に記憶されているフォルダーのうち、「ＯＮＫ」フォルダーに含まれるコンテンツのコンテンツ情報が表示されている。表示画面の上部において、「タイトル」が選択されているため、記憶部５に記憶されている全てのコンテンツのコンテンツ情報が表示されている。表示画面の上部において、「アルバム」が選択されると、アルバムジャケットと、アルバム名と、アーティスト名と、が表示される。図２では、ＤＡＰ１００は、ＰＣ１に接続されていないため、表示画面の下部において、「端末名／ストレージ名」と表示されており、特定の端末名とストレージ名とが、表示されていない。
【００３７】
図２に示す表示画面において、コンテンツ情報の左横には、円形の複数（３つ）のボックスが並べて表示されている。左のボックスは、表示画面の下部において、左に表示されるストレージ情報（記憶装置情報）が示すストレージに対応している。真ん中のボックスは、表示画面の下部において、真ん中に表示されるストレージ情報が示すストレージに対応している。右のボックスは、表示画面の下部において、右に表示されるストレージ情報が示すストレージに対応している。すなわち、ボックスとストレージ情報とは、並び順を同じにすることにより、対応付けられている。また、コンテンツ情報の左横に並ぶ複数のボックスは、ＤＡＰ１００が備えるストレージの数と同数である。
【００３８】
ＤＡＰ１００がＰＣ１に接続されると、図３に示すように、表示画面の下部に、ＤＡＰ１００が備えるストレージを示すストレージ情報が表示される。例えば、表示画面の下部において、左には、ＤＡＰ１００の記憶部１０１を示すストレージ情報が表示される。端末名として、「ＤＡＰ」、ストレージ名として、「内部ストレージ」が表示されている。また、記憶部１０１の使用状況が、円グラフで表示されている。塗りつぶされた部分が、使用領域を示しており、白抜きの部分が、空き領域を示している。ここでは、４８ＧＢが使用されており、１６ＧＢが空き領域である。
【００３９】
表示画面の下部において、真ん中には、ＤＡＰ１００のメモリーカード１０２を示すストレージ情報が表示される。端末名として、「ＤＡＰ」、ストレージ名として、「ＳＤ１」が表示されている。また、メモリーカード１０２の使用状況が、円グラフで表示されている。塗りつぶされた部分が、使用領域を示しており、白抜きの部分が、空き領域を示している。ここでは、３２ＧＢが使用されており、３２ＧＢが空き領域である。
【００４０】
表示画面の下部において、右には、ＤＡＰ１００のメモリーカード１０３を示すストレージ情報が表示される。端末名として、「ＤＡＰ」、ストレージ名として、「ＳＤ２」が表示されている。また、メモリーカード１０３の使用状況が、円グラフで表示されている。塗りつぶされた部分が、使用領域を示しており、白抜きの部分が、空き領域を示している。ここでは、０ＧＢが使用されており、６４ＧＢが空き領域である。
【００４１】
複数のボックスは、ＰＣ１の記憶部５に記憶されているコンテンツが、それぞれ、ＤＡＰ１００の記憶部１０１、メモリーカード１０２、１０３に記憶されているか否かを示している。塗りつぶされている（チェックされている）ボックスは、対応するコンテンツ情報が示すコンテンツが、対応するストレージに記憶されていることを示している。例えば、タイトル「トラック１」、アルバム「アルバムＡ」等のコンテンツ情報に対応する、左のボックスは、塗りつぶされている。従って、タイトル「トラック１」、アルバム「アルバムＡ」等のコンテンツ情報が示すコンテンツは、ＤＡＰ１００の記憶部１０１（内部ストレージ）に記憶されていることを示している。
【００４２】
また、例えば、タイトル「トラック４」、アルバム「アルバムＡ」等のコンテンツ情報に対応する、左のボックスは、塗りつぶされている。従って、タイトル「トラック４」、アルバム「アルバムＡ」等のコンテンツ情報が示すコンテンツは、ＤＡＰ１００の記憶部１０１（内部ストレージ）に記憶されていることを示している。また、例えば、タイトル「トラック４」、アルバム「アルバムＡ」等のコンテンツ情報に対応する、真ん中のボックスは、塗りつぶされている。従って、タイトル「トラック４」、アルバム「アルバムＡ」等のコンテンツ情報が示すコンテンツは、ＤＡＰ１００のメモリーカード１０２（ＳＤ１）に記憶されていることを示している。
【００４３】
塗りつぶされていない（チェックされていない）ボックスは、対応するコンテンツ情報のコンテンツが、対応するストレージに記憶されていないことを示している。例えば、タイトル「トラック１」、アルバム「アルバムＡ」等のコンテンツ情報に対応する、真ん中のボックスは、塗りつぶされていない。従って、タイトル「トラック１」、アルバム「アルバムＡ」等のコンテンツ情報が示すコンテンツは、ＤＡＰ１００のメモリーカード１０２（ＳＤ１）に記憶されていないことを示している。また、例えば、タイトル「トラック１」、アルバム「アルバムＡ」等のコンテンツ情報に対応する、右のボックスは、塗りつぶされていない。従って、タイトル「トラック１」、アルバム「アルバムＡ」等のコンテンツ情報が示すコンテンツは、ＤＡＰ１００のメモリーカード１０３（ＳＤ２）に記憶されていないことを示している。
【００４４】
また、例えば、タイトル「トラック４」、アルバム「アルバムＡ」等のコンテンツ情報に対応する、右のボックスは、塗りつぶされていない。従って、タイトル「トラック４」、アルバム「アルバムＡ」等のコンテンツ情報が示すコンテンツは、ＤＡＰ１００のメモリーカード１０３（ＳＤ２）に記憶されていないことを示している。
【００４５】
ユーザーは、ボックスを操作することにより、対応するコンテンツ情報が示すコンテンツを、対応するストレージに転送することが可能である。ユーザーは、図４に示すように、タイトル「トラック１」、アルバム「アルバムＡ」等のコンテンツ情報に対応する、右のボックスをチェックし、所定のボタンをクリックすることで、タイトル「トラック１」、アルバム「アルバムＡ」等のコンテンツ情報が示すコンテンツを、ＤＡＰ１００のメモリーカード１０３に転送することが可能である。ＣＰＵ２は、操作があったタイトル「トラック１」、アルバム「アルバムＡ」等のコンテンツ情報が示すコンテンツを、ＤＡＰ１００のメモリーカード１０３に転送する。
【００４６】
次に、ＣＰＵ２は、図５に示すように、タイトル「トラック１」、アルバム「アルバムＡ」等のコンテンツ情報が対応する、右のボックスを、塗りつぶされた表示に変更する。これにより、ユーザーは、タイトル「トラック１」、アルバム「アルバムＡ」等のコンテンツ情報が示すコンテンツが、ＤＡＰ１００のメモリーカード１０３（ＳＤ２）に転送されたことを確認することができる。
【００４７】
また、ユーザーは、コンテンツを複数のストレージに一度に転送することも可能である。ユーザーは、図６に示すように、タイトル「トラック５」、アルバム「アルバムＡ」等のコンテンツ情報に対応する全てのボックスをチェックし、所定のボタンをクリックすることで、タイトル「トラック５」、アルバム「アルバムＡ」等のコンテンツ情報が示すコンテンツを、ＤＡＰ１００の記憶部１０１、メモリーカード１０２、１０３に転送することが可能である。ＣＰＵ２は、操作があったタイトル「トラック５」、アルバム「アルバムＡ」等のコンテンツ情報が示すコンテンツを、ＤＡＰ１００の記憶部１０１、メモリーカード１０２、１０３に転送する。
【００４８】
次に、ＣＰＵ２は、図７に示すように、タイトル「トラック５」、アルバム「アルバムＡ」等のコンテンツ情報が対応する、全てのボックスを、塗りつぶされた表示に変更する。これにより、ユーザーは、タイトル「トラック５」、アルバム「アルバムＡ」等のコンテンツ情報が示すコンテンツが、ＤＡＰ１００の記憶部１０１（内部ストレージ）、メモリーカード１０２（ＳＤ１）、メモリーカード１０３（ＳＤ２）に転送されたことを確認することができる。
【００４９】
また、ユーザーは、複数のコンテンツを複数のストレージに一度に転送することも可能である。ユーザーは、図８に示すように、タイトル「トラック２」、アルバム「アルバムＢ」等のコンテンツ情報に対応する右のボックス、タイトル「トラック３」、アルバム「アルバムＢ」等のコンテンツ情報に対応する左のボックスをチェックし、所定のボタンをクリックすることで、タイトル「トラック２」、アルバム「アルバムＢ」等のコンテンツ情報が示すコンテンツを、ＤＡＰ１００のメモリーカード１０３に、タイトル「トラック３」、アルバム「アルバムＢ」等のコンテンツ情報が示すコンテンツを、ＤＡＰ１００の記憶部１０１に転送することが可能である。ＣＰＵ２は、操作があったタイトル「トラック２」、アルバム「アルバムＢ」等のコンテンツ情報が示すコンテンツを、ＤＡＰ１００のメモリーカード１０３に、タイトル「トラック３」、アルバム「アルバムＢ」等のコンテンツ情報が示すコンテンツを、ＤＡＰ１００の記憶部１０１に転送する。
【００５０】
次に、ＣＰＵ２は、図９に示すように、タイトル「トラック２」、アルバム「アルバムＢ」等のコンテンツ情報が対応する、右のボックス、タイトル「トラック３」、アルバム「アルバムＢ」等のコンテンツ情報が対応する、左のボックスを、塗りつぶされた表示に変更する。これにより、ユーザーは、タイトル「トラック２」、アルバム「アルバムＢ」等のコンテンツ情報が示すコンテンツが、ＤＡＰ１００のメモリーカード１０３（ＳＤ２）に、タイトル「トラック３」、アルバム「アルバムＢ」等のコンテンツ情報が示すコンテンツが、ＤＡＰ１００の記憶部１０１（内部ストレージ）に転送されたことを確認することができる。
【００５１】
ユーザーは、ボックスを操作することにより、対応するコンテンツ情報が示すコンテンツを、対応するストレージから削除することが可能である。ユーザーは、図１０に示すように、タイトル「トラック１」、アルバム「アルバムＡ」等のコンテンツ情報に対応する、右のボックスをチェックし、所定のボタンをクリックすることで、タイトル「トラック１」、アルバム「アルバムＡ」等のコンテンツ情報が示すコンテンツを、ＤＡＰ１００のメモリーカード１０３から削除することが可能である。ＣＰＵ２は、操作があったタイトル「トラック１」、アルバム「アルバムＡ」等のコンテンツ情報が示すコンテンツを、ＤＡＰ１００のメモリーカード１０３から削除する。
【００５２】
次に、ＣＰＵ２は、図１１に示すように、タイトル「トラック１」、アルバム「アルバムＡ」等のコンテンツ情報が対応する、右のボックスを、塗りつぶされていない表示に変更する。これにより、ユーザーは、タイトル「トラック１」、アルバム「アルバムＡ」等のコンテンツ情報が示すコンテンツが、ＤＡＰ１００のメモリーカード１０３（ＳＤ２）から削除されたことを確認することができる。
【００５３】
また、ユーザーは、コンテンツを複数のストレージから一度に削除することも可能である。ユーザーは、図１２に示すように、タイトル「トラック５」、アルバム「アルバムＡ」等のコンテンツ情報に対応する全てのボックスをチェックし、所定のボタンをクリックすることで、タイトル「トラック５」、アルバム「アルバムＡ」等のコンテンツ情報が示すコンテンツを、ＤＡＰ１００の記憶部１０１、メモリーカード１０２、１０３から削除することが可能である。ＣＰＵ２は、操作があったタイトル「トラック５」、アルバム「アルバムＡ」等のコンテンツ情報が示すコンテンツを、ＤＡＰ１００の記憶部１０１、メモリーカード１０２、１０３から削除する。
【００５４】
次に、ＣＰＵ２は、図１３に示すように、タイトル「トラック５」、アルバム「アルバムＡ」等のコンテンツ情報が対応する、全てのボックスを、塗りつぶされていない表示に変更する。これにより、ユーザーは、タイトル「トラック５」、アルバム「アルバムＡ」等のコンテンツ情報が示すコンテンツが、ＤＡＰ１００の記憶部１０１（内部ストレージ）、メモリーカード１０２（ＳＤ１）、メモリーカード１０３（ＳＤ２）から削除されたことを確認することができる。
【００５５】
また、ユーザーは、複数のコンテンツを複数のストレージから一度に削除することも可能である。ユーザーは、図１４に示すように、タイトル「トラック２」、アルバム「アルバムＢ」等のコンテンツ情報に対応する右のボックス、タイトル「トラック３」、アルバム「アルバムＢ」等のコンテンツ情報に対応する左のボックスをチェックし、所定のボタンをクリックすることで、タイトル「トラック２」、アルバム「アルバムＢ」等のコンテンツ情報が示すコンテンツを、ＤＡＰ１００のメモリーカード１０３、タイトル「トラック３」、アルバム「アルバムＢ」等のコンテンツ情報が示すコンテンツを、ＤＡＰ１００の記憶部１０１から削除することが可能である。ＣＰＵ２は、操作があったタイトル「トラック２」、アルバム「アルバムＢ」等のコンテンツ情報が示すコンテンツを、ＤＡＰ１００のメモリーカード１０３から、タイトル「トラック３」、アルバム「アルバムＢ」等のコンテンツ情報が示すコンテンツを、ＤＡＰ１００の記憶部１０１から削除する。
【００５６】
次に、ＣＰＵ２は、図１５に示すように、タイトル「トラック２」、アルバム「アルバムＢ」等のコンテンツ情報が対応する、右のボックス、タイトル「トラック３」、アルバム「アルバムＢ」等のコンテンツ情報が対応する、左のボックスを、塗りつぶされていない表示に変更する。これにより、ユーザーは、タイトル「トラック２」、アルバム「アルバムＢ」等のコンテンツ情報が示すコンテンツが、ＤＡＰ１００のメモリーカード１０３（ＳＤ２）から、タイトル「トラック３」、アルバム「アルバムＢ」等のコンテンツ情報が示すコンテンツが、ＤＡＰ１００の記憶部１０１（内部ストレージ）から削除されたことを確認することができる。
【００５７】
図においては、ボックスが黒色で塗りつぶされているが、ボックスとストレージ情報とは、同色とすることにより、対応付けられている。具体的には、ボックスと、ストレージの使用状況を示す円グラフと、を同色とすることにより、ボックスとストレージ情報とは、対応付けられている。左のボックスと、ＤＡＰ１００の記憶部１０１（内部ストレージ）の使用状況を示す円グラフとは、青色とすることにより、対応付けられている。真ん中のボックスと、ＤＡＰ１００のメモリーカード１０２（ＳＤ１）の使用状況を示す円グラフとは、黄色とすることにより、対応付けられている。右のボックスと、ＤＡＰ１００のメモリーカード１０３（ＳＤ２）の使用状況を示す円グラフとは、赤色とすることにより、対応付けられている。
【００５８】
以上説明したように、本実施形態では、ＣＰＵ２は、記憶部５に記憶されているコンテンツを示すコンテンツ情報と、記憶部５に記憶されているコンテンツが、ＤＡＰ１００が備える複数のストレージ（記憶部１０１、メモリーカード１０２、１０３）に記憶されているかをそれぞれ示す複数のボックスと、を含む表示画面を表示部６に表示する。このため、ユーザーは、表示画面に含まれる、記憶部５に記憶されているか否かを示すボックスを見るだけで、複数のストレージ（記憶部１０１、メモリーカード１０２、１０３）に記憶されているコンテンツを比較することができる。
【００５９】
また、本実施形態では、ＣＰＵ２は、ストレージにコンテンツが記憶されていないことを示しているボックスに対する操作があった場合に、ボックスに対応するコンテンツを、ボックスに対応するストレージに転送する。このため、ユーザーは、複数のストレージ（記憶部１０１、メモリーカード１０２、１０３）に記憶されているコンテンツを比較しながら、複数のストレージへのコンテンツの転送を行うことができる。
【００６０】
また、本実施形態では、ＣＰＵ２は、ストレージにコンテンツが記憶されていることを示しているボックスに対する操作があった場合に、ボックスに対応するコンテンツを、ボックスに対応するストレージから削除する。このため、ユーザーは、複数のストレージ（記憶部１０１、メモリーカード１０２、１０３）に記憶されているコンテンツを比較しながら、複数のストレージからのコンテンツの削除を行うことができる。
【００６１】
また、本実施形態では、ボックスと、ストレージを示すストレージ情報と、が対応付けられている。このため、ユーザーは、ボックスを見るだけで、対応するコンテンツが、ストレージ情報が示すストレージに記憶されているか否かを確認することができる。
【００６２】
また、本実施形態では、ボックスとストレージ情報とは、並び順を同じにすることにより、対応付けられている。このため、ユーザーは、視覚的に、ボックスとストレージ情報とが対応していることを理解することができる。
【００６３】
また、本実施形態では、ボックスとストレージ情報とは、同色とすることにより、対応付けられている。このため、ユーザーは、視覚的に、ボックスとストレージ情報とが対応していることを理解することができる。
【００６４】
また、本実施形態では、ボックスと、ストレージの使用状況を示す円グラフと、を同色とすることにより、ボックスとストレージ情報とは、対応付けられている。このため、ユーザーは、視覚的に、ボックスとストレージ情報とが対応していることを理解することができる。
【００６５】
また、本実施形態では、ボックスは円形である。このため、記憶装置の使用状況を示す円グラフと、円形のボックスと、で視覚的に統一されたデザインとなっている。
【００６６】
また、本実施形態では、複数のボックスは、コンテンツ情報の横に並べて表示されている。このため、ユーザーは、複数のストレージにコンテンツが記憶されているか否かを容易に確認することができる。
【００６７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００６８】
上述の実施形態においては、ボックスと、ストレージの使用状況を示す円グラフと、を同色とすることにより、ボックスとストレージ情報とは、対応付けられている。これに限らず、ボックスと、ストレージの使用状況を示す円グラフと、に同じ数字（例えば、１、２、３）を付けることにより、ボックスとストレージ情報とは、対応付けられていてもよい。また、例えば、ボックスと、端末名／ストレージ名とを示す情報（ＤＡＰ／内部ストレージ等）と、を同色とすることで、ボックスとストレージ情報とが、対応付けられていてもよい。
【００６９】
上述の実施形態においては、ＤＡＰ１００が、複数の記憶装置（ストレージ）を備える場合について説明した。これに限らず、複数のＤＡＰがＰＣ１に接続され、複数のＤＡＰが備える複数の記憶装置に記憶されているコンテンツを管理するようになっていてもよい。また、ＰＣ１がコンテンツを管理する記憶装置の数は、３つに限られない。
【００７０】
上述の実施形態では、ボックスは、円形である。これに限らず、長方形、正方形、三角形等であってもよい。
【００７１】
上述の実施形態においては、外部装置がＤＡＰである場合について説明した。これに限らず、外部装置は、スマートフォン、タブレットＰＣ等であってもよい。
【産業上の利用可能性】
【００７２】
本発明は、コンテンツを管理するコンテンツ管理装置、及び、コンテンツ管理プログラムに好適に採用され得る。
【符号の説明】
【００７３】
１  ＰＣ（コンテンツ管理装置）
２  ＣＰＵ（制御部）
５  記憶部
６  表示部
７  操作部
８  ＵＳＢ  Ｉ／Ｆ（通信インターフェース）
１００  ＤＡＰ（外部装置）
１０１  記憶部（記憶装置）
１０２  メモリーカード（記憶装置）
１０３  メモリーカード（記憶装置）
２００  ヘッドホン
Ｐ  コンテンツ管理プログラム
【図１】
2017033483.tif 000003
【図２】
2017033483.tif 000004
【図３】
2017033483.tif 000005
【図４】
2017033483.tif 000006
【図５】
2017033483.tif 000007
【図６】
2017033483.tif 000008
【図７】
2017033483.tif 000009
【図８】
2017033483.tif 000010
【図９】
2017033483.tif 000011
【図１０】
2017033483.tif 000012
【図１１】
2017033483.tif 000013
【図１２】
2017033483.tif 000014
【図１３】
2017033483.tif 000015
【図１４】
2017033483.tif 000016
【図１５】
2017033483.tif 000017
【図１６】
2017033483.tif 000018
【図１７】
2017033483.tif 000019
【図１８】
2017033483.tif 000020
【図１９】
2017033483.tif 000021
【図２０】
2017033483.tif 000022